(57)【要約】【課題】チューナの自動判別ができ、従来のような作業コストや管理コストを不要としてコストを低減することができるデジタル放送受信装置を提供する。【解決手段】装置の電源がオンにされると、マイコン５は、ＡＳ端子３ｉに所定の電位が与えられることにより設定されるＲｅａｄ用スレーブアドレスを指定してＲｅａｄデータの読み込みを実行し、ＭＯＰ  ＩＣ３からのＲｅａｄデータに含まれるＡＤＣビットがＡＤＣ端子３ｈに所定の電位が与えられることにより設定されるＡＤＣビットであることを確認すると、目標チャンネルが指定されたＭＯＰ  ＩＣ３に対応するフォーマットの選局データをＡＳ端子３ｉに所定の電位が与えられることにより設定されるＷｒｉｔｅ用スレーブアドレスを指定して送信する。【選択図】図１
2008199481.tif 000002
【特許請求の範囲】
【請求項１】
ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは前記所定のＲｅａｄ用スレーブアドレスを指定してＲｅａｄデータの読み込みを実行し、前記ＭＯＰ  ＩＣからのＲｅａｄデータに含まれるフラグが前記装置の電源がオンとされた際に設定される初期値であり、かつ該Ｒｅａｄデータに含まれるＡＤＣビットが前記所定のＡＤＣビットであることを確認できなかった場合は、前記マイコンは再度前記所定のＲｅａｄ用スレーブアドレスを指定してＲｅａｄデータの読み込みを実行し、前記ＭＯＰ  ＩＣからのＲｅａｄデータに含まれるフラグが前記装置の電源がオンとされた際に設定される初期値であり、かつ該Ｒｅａｄデータに含まれるＡＤＣビットが前記所定のＡＤＣビットであることを確認すると、
前記マイコンは所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記ＭＯＰ  ＩＣが有する局部発振器の出力するローカル信号の周波数が前記所定チャンネルに対応する周波数よりも所定の中間周波数だけ高い周波数にロックされたことを表し、かつ該Ｒｅａｄデータに含まれるＡＤＣビットが前記所定のＡＤＣビットであることを確認できなかった場合、前記マイコンは再度前記所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記ＭＯＰ  ＩＣが有する局部発振器の出力するローカル信号の周波数が前記所定チャンネルに対応する周波数よりも所定の中間周波数だけ高い周波数にロックされたことを表し、かつ該Ｒｅａｄデータに含まれるＡＤＣビットが前記所定のＡＤＣビットであることを確認すると、
目標チャンネルが指定された前記ＭＯＰ  ＩＣに対応するフォーマットの選局データを前記所定のＷｒｉｔｅ用スレーブアドレスを指定して送信する、ことを特徴とするデジタル放送受信装置。
【請求項２】
ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは前記所定のＲｅａｄ用スレーブアドレスを指定してＲｅａｄデータの読み込みを実行し、前記ＭＯＰ  ＩＣからのＲｅａｄデータに含まれるＡＤＣビットが前記所定のＡＤＣビットであることを確認すると、目標チャンネルが指定された前記ＭＯＰ  ＩＣに対応するフォーマットの選局データを前記所定のＷｒｉｔｅ用スレーブアドレスを指定して送信する、ことを特徴とするデジタル放送受信装置。
【請求項３】
前記マイコンが前記所定のＲｅａｄ用スレーブアドレスを指定してＲｅａｄデータの読み込みを実行し、前記ＭＯＰ  ＩＣからのＲｅａｄデータに含まれるＡＤＣビットが前記所定のＡＤＣビットであることが確認できなかった場合、前記マイコンは再度前記所定のＲｅａｄ用スレーブアドレスを指定してＲｅａｄデータの読み込みを実行する、ことを特徴とする請求項２に記載のデジタル放送受信装置。
【請求項４】
ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれるフラグが前記ＭＯＰ  ＩＣが有する局部発振器の出力するローカル信号の周波数が前記所定チャンネルに対応する周波数よりも所定の中間周波数だけ高い周波数にロックされたことを表していることを確認すると、目標チャンネルが指定された前記ＭＯＰ  ＩＣに対応するフォーマットの選局データを前記所定のＷｒｉｔｅ用スレーブアドレスを指定して送信する、ことを特徴とするデジタル放送受信装置。
【請求項５】
前記マイコンが前記所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記ＭＯＰ  ＩＣが有する局部発振器の出力するローカル信号の周波数が前記所定チャンネルに対応する周波数よりも所定の中間周波数だけ高い周波数にロックされたことを表していることを確認できなかった場合、前記マイコンは再度前記所定チャンネルが指定された前記ＭＯＰ  ＩＣに対応するフォーマットの選局データを前記所定のＷｒｉｔｅ用スレーブアドレスを指定して送信する、ことを特徴とする請求項４に記載のデジタル放送受信装置。
【請求項６】
前記マイコンが前記所定のＲｅａｄ用スレーブアドレスを指定してＲｅａｄデータの読み込みを実行し、前記ＭＯＰ  ＩＣからのＲｅａｄデータに含まれる前記フラグが前記装置の電源がオンとされた際に設定される初期値であることを確認した場合に、前記マイコンは前記所定チャンネルが指定された前記ＭＯＰ  ＩＣに対応するフォーマットの選局データを前記所定のＷｒｉｔｅ用スレーブアドレスを指定して送信する、ことを特徴とする請求項４に記載のデジタル放送受信装置。
【請求項７】
前記マイコンが前記所定のＲｅａｄ用スレーブアドレスを指定してＲｅａｄデータの読み込みを実行し、前記ＭＯＰ  ＩＣからのＲｅａｄデータに含まれる前記フラグが前記装置の電源がオンとされた際に設定される初期値でないことを確認した場合、前記マイコンは、前記ＭＯＰ  ＩＣが有する局部発振器の出力するローカル信号の周波数が指定周波数よりも所定の中間周波数だけ高い周波数にロックすることが不可能であるような選局データを送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記初期値となっていることを確認すると、前記マイコンは前記所定チャンネルが指定された前記ＭＯＰ  ＩＣに対応するフォーマットの選局データを前記所定のＷｒｉｔｅ用スレーブアドレスを指定して送信する、ことを特徴とする請求項４に記載のデジタル放送受信装置。
【請求項８】
ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは所定チャンネルが指定された前記ＭＯＰ  ＩＣに対応するフォーマットの選局データを前記所定のＷｒｉｔｅ用スレーブアドレスを指定して送信し、その後、前記ＭＯＰ  ＩＣからＡｃｋｎｏｗｌｅｄｇｅが返ってきたことを確認すると、目標チャンネルが指定された前記ＭＯＰ  ＩＣに対応するフォーマットの選局データを前記所定のＷｒｉｔｅ用スレーブアドレスを指定して送信する、ことを特徴とするデジタル放送受信装置。
【請求項９】
前記マイコンが前記所定チャンネルが指定された前記ＭＯＰ  ＩＣに対応するフォーマットの選局データを前記所定のＷｒｉｔｅ用スレーブアドレスを指定して送信し、その後、前記ＭＯＰ  ＩＣからＡｃｋｎｏｗｌｅｄｇｅが返ってきたことを確認できなかった場合、前記マイコンは再度前記所定チャンネルが指定された前記ＭＯＰ  ＩＣに対応するフォーマットの選局データを前記所定のＷｒｉｔｅ用スレーブアドレスを指定して送信する、ことを特徴とする請求項８に記載のデジタル放送受信装置。
【発明の詳細な説明】
【技術分野】
【０００１】
本発明は、デジタル放送受信装置に関するものである。
【背景技術】
【０００２】
従来から、デジタル放送受信装置の生産においては、競合によるコストメリットと安定した製品供給のため、複数のチューナメーカのチューナを採用することが行われている（放送受信装置に製造元の異なるチューナが備えられる場合の技術については例えば特許文献１参照）。ここで、チューナメーカ各社でチューナに採用しているＭＯＰ（Ｍｉｘｅｒ  Ｏｓｃｉｌｌａｔｏｒ  ＰＬＬ）ＩＣが異なり、使用される選局データのフォーマットが異なるため、各社のチューナ毎に異なるチューナ駆動ソフトが必要となる。そこで、従来のデジタル放送受信装置の生産工程においては、組立工程においてチューナおよび複数のチューナ駆動ソフトが内蔵されたマイコンが基板に取り付けられ、取り付けられたチューナがいずれのチューナメーカ製であるかが製品毎に管理され、その管理情報が後工程である完成検査工程に伝達され、完成検査工程において作業者が製品毎に工場モードを動作させ、いずれのチューナ駆動ソフトを駆動させるかを選択設定していた。
【特許文献１】特開２０００−２９９８２３号公報
【発明の開示】
【発明が解決しようとする課題】
【０００３】
しかし、上記従来のデジタル放送受信装置では、上記のように組立工程の管理および組立工程と完成検査工程との整合管理が必要であり管理コストが発生し、作業者の作業コストも発生し、コスト面に問題があった。また、作業者の設定ミスが発生するという問題もあった。
【０００４】
また、製品の市場出荷後、製品に不具合が生じサービスマンがチューナを交換する際、元のチューナとはチューナメーカが異なるチューナに交換する場合、サービスマンが工場モードを動作させチューナ駆動ソフトを選択設定する必要があり、サービスマンに高いスキルが要求されるという問題もあった。
【０００５】
上記問題点を鑑み、本発明は、従来のような作業コストや管理コストを不要としてコストを低減することができるデジタル放送受信装置を提供することを目的とする。
【課題を解決するための手段】
【０００６】
上記目的を達成するために本発明のデジタル放送受信装置は、ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは前記所定のＲｅａｄ用スレーブアドレスを指定してＲｅａｄデータの読み込みを実行し、前記ＭＯＰ  ＩＣからのＲｅａｄデータに含まれるＡＤＣビットが前記所定のＡＤＣビットであることを確認すると、目標チャンネルが指定された前記ＭＯＰ  ＩＣに対応するフォーマットの選局データを前記所定のＷｒｉｔｅ用スレーブアドレスを指定して送信する、ことを特徴としている。
【０００７】
このような構成によれば、自動的にチューナ判別を行うことができ、従来のような作業者による工場モードでの設定作業や、組立工程の管理および組立工程と完成検査工程との整合管理が不要となり、従来のような作業コストや管理コストを不要としてコストを低減することができる。
【０００８】
また、本発明のデジタル放送受信装置は上記構成において、前記マイコンが前記所定のＲｅａｄ用スレーブアドレスを指定してＲｅａｄデータの読み込みを実行し、前記ＭＯＰ  ＩＣからのＲｅａｄデータに含まれるＡＤＣビットが前記所定のＡＤＣビットであることが確認できなかった場合、前記マイコンは再度前記所定のＲｅａｄ用スレーブアドレスを指定してＲｅａｄデータの読み込みを実行することを特徴としている。このような構成によれば、ＡＤＣビットが正しく読み込めなかった場合でもリトライが可能となる。
【０００９】
また、上記目的を達成するために本発明のデジタル放送受信装置は、ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれるフラグが前記ＭＯＰ  ＩＣが有する局部発振器の出力するローカル信号の周波数が前記所定チャンネルに対応する周波数よりも所定の中間周波数だけ高い周波数にロックされたことを表していることを確認すると、目標チャンネルが指定された前記ＭＯＰ  ＩＣに対応するフォーマットの選局データを前記所定のＷｒｉｔｅ用スレーブアドレスを指定して送信する、ことを特徴としている。
【００１０】
このような構成によっても、自動的にチューナ判別を行うことができ、前述のような効果を得ることができる。
【００１１】
また、本発明のデジタル放送受信装置は上記構成において、前記マイコンが前記所定チャンネルが指定された前記ＭＯＰ  ＩＣに対応するフォーマットの選局データを前記所定のＷｒｉｔｅ用スレーブアドレスを指定して送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記ＭＯＰ  ＩＣが有する局部発振器の出力するローカル信号の周波数が前記所定チャンネルに対応する周波数よりも所定の中間周波数だけ高い周波数にロックされたことを表していることを確認できなかった場合、前記マイコンは再度前記所定チャンネルが指定された前記ＭＯＰ  ＩＣに対応するフォーマットの選局データを前記所定のＷｒｉｔｅ用スレーブアドレスを指定して送信する、ことを特徴としている。このような構成によれば、フラグが正しく読み込めなかった場合でもリトライが可能となる。
【００１２】
また、本発明のデジタル放送受信装置は上記構成において、前記マイコンが前記所定のＲｅａｄ用スレーブアドレスを指定してＲｅａｄデータの読み込みを実行し、前記ＭＯＰ  ＩＣからのＲｅａｄデータに含まれる前記フラグが前記装置の電源がオンとされた際に設定される初期値であることを確認した場合に、前記マイコンは前記所定チャンネルが指定された前記ＭＯＰ  ＩＣに対応するフォーマットの選局データを前記所定のＷｒｉｔｅ用スレーブアドレスを指定して送信する、ことを特徴としている。
【００１３】
また、本発明のデジタル放送受信装置は上記構成において、前記マイコンが前記所定のＲｅａｄ用スレーブアドレスを指定してＲｅａｄデータの読み込みを実行し、前記ＭＯＰ  ＩＣからのＲｅａｄデータに含まれる前記フラグが前記装置の電源がオンとされた際に設定される初期値でないことを確認した場合、前記マイコンは、前記ＭＯＰ  ＩＣが有する局部発振器の出力するローカル信号の周波数が指定周波数よりも所定の中間周波数だけ高い周波数にロックすることが不可能であるような選局データを送信し、その後、前記所定のＲｅａｄ用スレーブアドレスを指定してＲｅａｄデータの読み込みを実行し、前記ＭＯＰ  ＩＣからのＲｅａｄデータに含まれる前記フラグが前記初期値となっていることを確認すると、前記マイコンは前記所定チャンネルが指定された前記ＭＯＰ  ＩＣに対応するフォーマットの選局データを前記所定のＷｒｉｔｅ用スレーブアドレスを指定して送信する、ことを特徴としている。
【００１４】
また、上記目的を達成するために本発明のデジタル放送受信装置は、ＭＯＰ（Ｍｉｘｅｒ  Ｏｓｃｉｌｌａｔｏｒ  ＰＬＬ）ＩＣを有するチューナと、前記ＭＯＰ  ＩＣと通信可能に接続されたマイコンとを備え、
前記ＭＯＰ  ＩＣが有するＡＤＣ（Ａ／Ｄ  Ｃｏｎｖｅｒｔｅｒ）端子に所定の電位が与えられることにより前記ＭＯＰ  ＩＣ内のＲｅａｄデータに含まれるＡＤＣビットに所定のＡＤＣビットが設定され、前記ＭＯＰ  ＩＣが有するＡＳ（Ａｄｄｒｅｓｓ  Ｓｅｌｅｃｔ）端子に所定の電位が与えられることにより前記ＭＯＰ  ＩＣに所定のＷｒｉｔｅ用スレーブアドレスおよび所定のＲｅａｄ用スレーブアドレスが設定され、
装置の電源がオンにされると、前記マイコンは所定チャンネルが指定された前記ＭＯＰ  ＩＣに対応するフォーマットの選局データを前記所定のＷｒｉｔｅ用スレーブアドレスを指定して送信し、その後、前記ＭＯＰ  ＩＣからＡｃｋｎｏｗｌｅｄｇｅが返ってきたことを確認すると、目標チャンネルが指定された前記ＭＯＰ  ＩＣに対応するフォーマットの選局データを前記所定のＷｒｉｔｅ用スレーブアドレスを指定して送信する、ことを特徴としている。
【００１５】
このような構成によっても、自動的にチューナ判別を行うことができ、前述のような効果を得ることができる。
【００１６】
また、本発明のデジタル放送受信装置は上記構成において、前記マイコンが前記所定チャンネルが指定された前記ＭＯＰ  ＩＣに対応するフォーマットの選局データを前記所定のＷｒｉｔｅ用スレーブアドレスを指定して送信し、その後、前記ＭＯＰ  ＩＣからＡｃｋｎｏｗｌｅｄｇｅが返ってきたことを確認できなかった場合、前記マイコンは再度前記所定チャンネルが指定された前記ＭＯＰ  ＩＣに対応するフォーマットの選局データを前記所定のＷｒｉｔｅ用スレーブアドレスを指定して送信する、ことを特徴としている。このような構成によれば、なんらかの原因でＭＯＰ  ＩＣが選局データの受信に失敗しても、リトライが可能となる。
【発明の効果】
【００１７】
本発明のデジタル放送受信装置によれば、従来のような作業コストや管理コストを不要としてコストを低減することができる。
【発明を実施するための最良の形態】
【００１８】
（第１実施形態）
以下、本発明の第１実施形態について図面を参照して説明する。
【００１９】
図１に、第１実施形態のデジタル放送受信装置の概略構成図を示す。本デジタル放送受信装置は、ＭＯＰ（Ｍｉｘｅｒ  Ｏｓｃｉｌｌａｔｏｒ  ＰＬＬ）ＩＣ３を有するチューナ２と、Ｉ２Ｃ  Ｂｕｓ４と、マイコン５と、ＥＥＰＲＯＭ６とを備える。ＭＯＰ  ＩＣ３は、ＶＨＦ−Ｌｏｗミキサ３ａと、ＶＨＦ−Ｈｉｇｈミキサ３ｂと、ＵＨＦミキサ３ｃと、ＶＨＦ−Ｌｏｗ局部発振器３ｄと、ＶＨＦ−Ｈｉｇｈ局部発振器３ｅと、ＵＨＦ局部発振器３ｆと、中間周波増幅器３ｇと、ＡＤＣ（Ａ／Ｄ  Ｃｏｎｖｅｒｔｅｒ）端子３ｈと、ＡＳ（Ａｄｄｒｅｓｓ  Ｓｅｌｅｃｔ）端子３ｉとを有する。チューナ２はＡ社製、Ｂ社製、Ｃ社製の３種類あり、チューナメーカ毎に使用されているＭＯＰ  ＩＣ３は異なり、それぞれのＭＯＰ  ＩＣ３で使用される選局データのフォーマットが異なる。
【００２０】
チューナ２は、アンテナ１が放送電波から変換したＲＦ信号から、マイコン５が送信する選局データで指定される周波数のＲＦ信号を抽出し、抽出されたＲＦ信号はそのＲＦ信号が属する周波数帯域に応じてＭＯＰ  ＩＣ３が有するＶＨＦ−Ｌｏｗミキサ３ａ、ＶＨＦ−Ｈｉｇｈミキサ３ｂ、ＵＨＦミキサ３ｃのいずれかに入力される。
【００２１】
ＭＯＰ  ＩＣ３が有するＶＨＦ−Ｌｏｗ局部発振器３ｄ、ＶＨＦ−Ｈｉｇｈ局部発振器３ｅ、ＵＨＦ局部発振器３ｆは、ＰＬＬ制御によりマイコン６が送信する選局データで指定される周波数より所定の中間周波数だけ高い周波数にロックされたローカル信号をＶＨＦ−Ｌｏｗミキサ３ａ、ＶＨＦ−Ｈｉｇｈミキサ３ｂ、ＵＨＦミキサ３ｃに出力する。また、マイコン６が送信する選局データで指定される周波数帯域に応じた局部発振器が駆動される。
【００２２】
ＶＨＦ−Ｌｏｗミキサ３ａ、ＶＨＦ−Ｈｉｇｈミキサ３ｂ、ＵＨＦミキサ３ｃは入力されるＲＦ信号と入力されるローカル信号とを混合して中間周波信号を生成し中間周波増幅器３ｇに出力する。中間周波増幅器３ｇは入力される中間周波信号を増幅してチューナ２外部へ出力する。
【００２３】
本発明のデジタル放送受信装置が例えばテレビジョンである場合は、中間周波増幅器３ｇの後段にさらに、不図示のデジタル復調部、データ分離部、ＭＰＥＧデコーダ、表示部が設けられる。中間周波増幅器３ｇにより増幅された中間周波信号はデジタル復調部によりデジタル復調されてトランスポートストリームが取り出され、データ分離部はトランスポートストリームから映像信号を分離し、ＭＰＥＧデコーダが分離された映像信号を伸長し表示部に出力し、表示部に放送番組が表示される。なお、本発明はテレビジョンに限らず、ＤＶＤレコーダ、ハードディスクレコーダ、それらの複合機、ビデオカセットレコーダ、セットトップボックス等にも適用可能である。
【００２４】
また、ＭＯＰ  ＩＣ３が有するＡＤＣ端子３ｈには、図２（ａ）のようにチューナ２がＡ社製の場合はＶｃｃの電位が、チューナ２がＢ社製の場合はＯｐｅｎの電位が、チューナ２がＣ社製の場合はグランドの電位が与えられる。ＡＤＣ端子３ｈに与えられる電位によって、ＭＯＰ  ＩＣ３内のＲｅａｄデータに含まれる３ビットのＡＤＣビットは異なって設定され、図２（ａ）のようにＡＤＣ端子３ｈに与えられる電位がＶｃｃの場合、ＡＤＣビットは“１００”と設定され、ＡＤＣ端子３ｈに与えられる電位がＯｐｅｎの場合、ＡＤＣビットは“１１１”と設定され、ＡＤＣ端子３ｈに与えられる電位がグランドの場合、ＡＤＣビットは“０００”と設定される。
【００２５】
また、ＭＯＰ  ＩＣ３が有するＡＳ端子３ｉには、図２（ｂ）のようにチューナ２がＡ社製の場合はＯｐｅｎの電位が、チューナ２がＢ社製の場合はＶｃｃの電位が、チューナ２がＣ社製の場合はグランドの電位が与えられる。ＡＳ端子３ｉに与えられる電位によってＭＯＰ  ＩＣ３のＷｒｉｔｅ用スレーブアドレスおよびＲｅａｄ用スレーブアドレスが異なって設定される。図２（ｂ）のように、ＡＳ端子３ｉに与えられる電位がＯｐｅｎの場合、Ｗｒｉｔｅ用スレーブアドレスは“Ｃ２ｈ”（ｈは１６進数の意）に、Ｒｅａｄ用スレーブアドレスは“Ｃ３ｈ”に設定され、ＡＳ端子３ｉに与えられる電位がＶｃｃの場合、Ｗｒｉｔｅ用スレーブアドレスは“Ｃ６ｈ”に、Ｒｅａｄ用スレーブアドレスは“Ｃ７ｈ”に設定され、ＡＳ端子３ｉに与えられる電位がグランドの場合、Ｗｒｉｔｅ用スレーブアドレスは“Ｃ０ｈ”に、Ｒｅａｄ用スレーブアドレスは“Ｃ１ｈ”に設定される。
【００２６】
また、ＭＯＰ  ＩＣ３はマイコン５とＩ２Ｃ  Ｂｕｓ４によって通信可能に接続され、不揮発性メモリであるＥＥＰＲＯＭ６もマイコン５とＩ２Ｃ  Ｂｕｓ４によって通信可能に接続されている。また、マイコン５に内蔵されているチューナ駆動ソフトは、チューナ２がＡ社製、Ｂ社製、Ｃ社製に関わらず共通である。
【００２７】
このような構成である第１実施形態のデジタル放送受信装置の電源がオンになり、マイコン５が内蔵するチューナ駆動ソフトを実行すると図３に示すフローチャートが開始される。
【００２８】
まず、ステップＳ３００で、マイコン５はＥＥＰＲＯＭ６に記憶されたチューナ種別情報を参照する。チューナ種別情報はＡ社製チューナを表す場合、Ｂ社製チューナを表す場合、Ｃ社製チューナを表す場合、チューナ不確定を表す場合の４種類あり、製品工場出荷時にはチューナ不確定を表すチューナ種別情報がＥＥＰＲＯＭ６に記憶されている。ステップＳ３００でマイコン５がチューナ種別情報がチューナ不確定を表していることを確認した場合は（ステップＳ３００のＹ）、ステップＳ３０１に進む。
【００２９】
ステップＳ３０１で、マイコン５は変数Ｎを０とする。そして、ステップＳ３０２で、マイコン５は変数Ｎが３であるか否かを判定し、３でない場合は（ステップＳ３０２のＮ）、ステップＳ３０３に進む。
【００３０】
ステップＳ３０３で、マイコン５は、Ａ社製チューナに設定されるＲｅａｄ用スレーブアドレス（＝“Ｃ３ｈ”（図２（ｂ）））を指定してＲｅａｄデータの読み込みを実行する。
【００３１】
そして、ステップＳ３０４で、マイコン５が、ＭＯＰ  ＩＣ３からのＲｅａｄデータに含まれるロックフラグが０で、かつ該Ｒｅａｄデータに含まれるＡＤＣビットが“１００”（Ａ社製チューナに対応（図２（ａ）））であることを確認した場合は（ステップＳ３０４のＹ）、チューナ２がＡ社製チューナである可能性が高いとして、図４のステップＳ４００に進む。
【００３２】
ここでロックフラグは、ＭＯＰ  ＩＣ３内のＲｅａｄデータに含まれ、デジタル放送受信装置の電源オン時にはデフォルトとして０が設定され、マイコン５からＭＯＰ  ＩＣ３が選局データを受信し、その選局データが指定する周波数帯域に対応するＶＨＦ−Ｌｏｗ局部発振器３ｄ、ＶＨＦ−Ｈｉｇｈ局部発振器３ｅ、ＵＨＦ局部発振器３ｆのいずれかの局部発振器が出力するローカル信号の周波数がＰＬＬ制御により上記選局データが指定する周波数よりも所定の中間周波数だけ高い周波数にロックされると、ロックフラグは１に設定される。また、マイコン５からＭＯＰ  ＩＣ３が選局データを受信しても、上記のような周波数のロックができなかった場合は、ロックフラグは０に設定される。
【００３３】
図４のステップＳ４００で、マイコン５は変数Ｍを０とする。そして、ステップＳ４０１で、マイコン５は変数Ｍが３であるか否かを判定し、３でなければ（ステップＳ４０１のＮ）、ステップＳ４０２に進む。
【００３４】
ステップＳ４０２で、マイコン５は、Ａ社製チューナに設定されるＷｒｉｔｅ用スレーブアドレス（＝“Ｃ２ｈ”（図２（ｂ）））を指定して、所定チャンネルに対応する周波数帯域および周波数が指定されたＡ社製チューナに用いられるＭＯＰ  ＩＣ３に対応するフォーマットの選局データを送信する。
【００３５】
それからステップＳ４０３で、マイコン５は２００ｍｓｅｃだけ待機し、その後、ステップＳ４０４で、マイコン５は、Ａ社製チューナに設定されるＲｅａｄ用スレーブアドレス（＝“Ｃ３ｈ”（図２（ｂ）））を指定してＲｅａｄデータの読み込みを実行する。
【００３６】
そして、ステップＳ４０５で、マイコン５が、ＭＯＰ  ＩＣ３からのＲｅａｄデータに含まれるロックフラグが１で、かつ該Ｒｅａｄデータに含まれるＡＤＣビットが“１００”（Ａ社製チューナに対応（図２（ａ）））であることを確認した場合は（ステップＳ４０５のＹ）、チューナ２はＡ社製チューナであるとして、ステップＳ４０６でマイコン５はＡ社製チューナを表すチューナ種別情報をＥＥＰＲＯＭ６に記憶させる。そして、ステップＳ４０７で、マイコン５は、Ａ社製チューナに設定されるＷｒｉｔｅ用スレーブアドレス（＝“Ｃ２ｈ”（図２（ｂ）））を指定して、目標チャンネルに対応する周波数帯域および周波数が指定されたＡ社製チューナに用いられるＭＯＰ  ＩＣ３に対応するフォーマットの選局データを送信し、フローチャートの動作が終了する。
【００３７】
また、ステップＳ４０５で、マイコン５が、ＭＯＰ  ＩＣ３からのＲｅａｄデータに含まれるロックフラグが１で、かつ該Ｒｅａｄデータに含まれるＡＤＣビットが“１００”であることを確認できなかった場合は（ステップＳ４０５のＮ）、ステップＳ４０８に進み、マイコン５は変数Ｍを１だけ増加させ、ステップＳ４０１に戻る。
【００３８】
ステップＳ４０１でマイコン５が変数Ｍは３であると判定した場合や（ステップＳ４０１のＹ）、ステップＳ３０４（図３）で、マイコン５が、ＭＯＰ  ＩＣ３からのＲｅａｄデータに含まれるロックフラグが０で、かつ該Ｒｅａｄデータに含まれるＡＤＣビットが“１００”であることを確認できなかった場合は（ステップＳ３０４のＮ）、ステップＳ３０５に進む。
【００３９】
ステップＳ３０５で、マイコン５は、Ｂ社製チューナに設定されるＲｅａｄ用スレーブアドレス（＝“Ｃ７ｈ”（図２（ｂ）））を指定してＲｅａｄデータの読み込みを実行する。
【００４０】
そして、ステップＳ３０６で、マイコン５が、ＭＯＰ  ＩＣ３からのＲｅａｄデータに含まれるロックフラグが０で、かつ該Ｒｅａｄデータに含まれるＡＤＣビットが“１１１”（Ｂ社製チューナに対応（図２（ａ）））であることを確認した場合は（ステップＳ３０６のＹ）、チューナ２がＢ社製チューナである可能性が高いとして、図４のステップＳ４０９に進む。
【００４１】
図４のステップＳ４０９で、マイコン５は変数Ｍを０とする。そして、ステップＳ４１０で、マイコン５は変数Ｍが３であるか否かを判定し、３でなければ（ステップＳ４１０のＮ）、ステップＳ４１１に進む。
【００４２】
ステップＳ４１１で、マイコン５は、Ｂ社製チューナに設定されるＷｒｉｔｅ用スレーブアドレス（＝“Ｃ６ｈ”（図２（ｂ）））を指定して、所定チャンネルに対応する周波数帯域および周波数が指定されたＢ社製チューナに用いられるＭＯＰ  ＩＣ３に対応するフォーマットの選局データを送信する。
【００４３】
それからステップＳ４１２で、マイコン５は２００ｍｓｅｃだけ待機し、その後、ステップＳ４１３で、マイコン５は、Ｂ社製チューナに設定されるＲｅａｄ用スレーブアドレス（＝“Ｃ７ｈ”（図２（ｂ）））を指定してＲｅａｄデータの読み込みを実行する。
【００４４】
そして、ステップＳ４１４で、マイコン５が、ＭＯＰ  ＩＣ３からのＲｅａｄデータに含まれるロックフラグが１で、かつ該Ｒｅａｄデータに含まれるＡＤＣビットが“１１１”（Ｂ社製チューナに対応（図２（ａ）））であることを確認した場合は（ステップＳ４１４のＹ）、チューナ２はＢ社製チューナであるとして、ステップＳ４１５でマイコン５はＢ社製チューナを表すチューナ種別情報をＥＥＰＲＯＭ６に記憶させる。そして、ステップＳ４１６で、マイコン５は、Ｂ社製チューナに設定されるＷｒｉｔｅ用スレーブアドレス（＝“Ｃ６ｈ”（図２（ｂ）））を指定して、目標チャンネルに対応する周波数帯域および周波数が指定されたＢ社製チューナに用いられるＭＯＰ  ＩＣ３に対応するフォーマットの選局データを送信し、フローチャートの動作が終了する。
【００４５】
また、ステップＳ４１４で、マイコン５が、ＭＯＰ  ＩＣ３からのＲｅａｄデータに含まれるロックフラグが１で、かつ該Ｒｅａｄデータに含まれるＡＤＣビットが“１１１”であることを確認できなかった場合は（ステップＳ４１４のＮ）、ステップＳ４１７に進み、マイコン５は変数Ｍを１だけ増加させ、ステップＳ４１０に戻る。
【００４６】
ステップＳ４１０でマイコン５が変数Ｍは３であると判定した場合や（ステップＳ４１０のＹ）、ステップＳ３０６（図３）で、マイコン５が、ＭＯＰ  ＩＣ３からのＲｅａｄデータに含まれるロックフラグが０で、かつ該Ｒｅａｄデータに含まれるＡＤＣビットが“１１１”であることを確認できなかった場合は（ステップＳ３０６のＮ）、ステップＳ３０７に進む。
【００４７】
ステップＳ３０７で、マイコン５は、Ｃ社製チューナに設定されるＲｅａｄ用スレーブアドレス（＝“Ｃ１ｈ”（図２（ｂ）））を指定してＲｅａｄデータの読み込みを実行する。
【００４８】
そして、ステップＳ３０８で、マイコン５が、ＭＯＰ  ＩＣ３からのＲｅａｄデータに含まれるロックフラグが０で、かつ該Ｒｅａｄデータに含まれるＡＤＣビットが“０００”（Ｃ社製チューナに対応（図２（ａ）））であることを確認した場合は（ステップＳ３０８のＹ）、チューナ２がＣ社製チューナである可能性が高いとして、図４のステップＳ４１８に進む。
【００４９】
図４のステップＳ４１８で、マイコン５は変数Ｍを０とする。そして、ステップＳ４１９で、マイコン５は変数Ｍが３であるか否かを判定し、３でなければ（ステップＳ４１９のＮ）、ステップＳ４２０に進む。
【００５０】
ステップＳ４２０で、マイコン５は、Ｃ社製チューナに設定されるＷｒｉｔｅ用スレーブアドレス（＝“Ｃ０ｈ”（図２（ｂ）））を指定して、所定チャンネルに対応する周波数帯域および周波数が指定されたＣ社製チューナに用いられるＭＯＰ  ＩＣ３に対応するフォーマットの選局データを送信する。
【００５１】
それからステップＳ４２１で、マイコン５は２００ｍｓｅｃだけ待機し、その後、ステップＳ４２２で、マイコン５は、Ｃ社製チューナに設定されるＲｅａｄ用スレーブアドレス（＝“Ｃ１ｈ”（図２（ｂ）））を指定してＲｅａｄデータの読み込みを実行する。
【００５２】
そして、ステップＳ４２３で、マイコン５が、ＭＯＰ  ＩＣ３からのＲｅａｄデータに含まれるロックフラグが１で、かつ該Ｒｅａｄデータに含まれるＡＤＣビットが“０００”（Ｃ社製チューナに対応（図２（ａ）））であることを確認した場合は（ステップＳ４２３のＹ）、チューナ２はＣ社製チューナであるとして、ステップＳ４２４でマイコン５はＣ社製チューナを表すチューナ種別情報をＥＥＰＲＯＭ６に記憶させる。そして、ステップＳ４２５で、マイコン５は、Ｃ社製チューナに設定されるＷｒｉｔｅ用スレーブアドレス（＝“Ｃ０ｈ”（図２（ｂ）））を指定して、目標チャンネルに対応する周波数帯域および周波数が指定されたＣ社製チューナに用いられるＭＯＰ  ＩＣ３に対応するフォーマットの選局データを送信し、フローチャートの動作が終了する。
【００５３】
また、ステップＳ４２３で、マイコン５が、ＭＯＰ  ＩＣ３からのＲｅａｄデータに含まれるロックフラグが１で、かつ該Ｒｅａｄデータに含まれるＡＤＣビットが“０００”であることを確認できなかった場合は（ステップＳ４２３のＮ）、ステップＳ４２６に進み、マイコン５は変数Ｍを１だけ増加させ、ステップＳ４１９に戻る。
【００５４】
ステップＳ４１９でマイコン５が変数Ｍは３であると判定した場合や（ステップＳ４１９のＹ）、ステップＳ３０８（図３）で、マイコン５が、ＭＯＰ  ＩＣ３からのＲｅａｄデータに含まれるロックフラグが０で、かつ該Ｒｅａｄデータに含まれるＡＤＣビットが“０００”であることを確認できなかった場合は（ステップＳ３０８のＮ）、ステップＳ３０９に進む。ステップＳ３０９で、マイコン５は変数Ｎを１だけ増加させ、ステップＳ３０２に戻る。
【００５５】
ステップＳ３０２で、マイコン５が変数Ｎは３であると判定した場合（ステップＳ３０２のＹ）、ステップＳ３１１に進み、マイコン５はチューナ不確定を表すチューナ種別情報をＥＥＰＲＯＭ６に記憶させ、以降選局データは送信しない。
【００５６】
また、ステップＳ３００で、マイコン５がチューナ種別情報がＡ社製チューナ、Ｂ社製チューナ、Ｃ社製チューナのいずれかを表していることを確認した場合は（ステップＳ３００のＮ）、ステップＳ３１０に進む。ステップＳ３１０で、マイコン５は、チューナ種別に応じたＷｒｉｔｅ用スレーブアドレスを指定して、目標チャンネルに対応する周波数帯域および周波数が指定されたチューナ種別に応じたフォーマットの選局データを送信し、フローチャートの動作が終了する。
【００５７】
このような第１実施形態によれば、自動的にチューナ判別を行うことができ、従来のような作業者による工場モードでの設定作業や、組立工程の管理および組立工程と完成検査工程との整合管理が不要となり、コストを低減することができる。また、従来のような作業者の設定ミスも発生しない。また、市場出荷後の不具合時にサービスマンがチューナを別のチューナメーカのものに交換する際、従来のような工場モードでの設定作業は不要となり、サービスマンに高いスキルは不要となる。
【００５８】
（第２実施形態）
次に、本発明の第２実施形態について図面を参照して説明する。第２実施形態のデジタル放送受信装置の構成は前述した第１実施形態と同様であり、チューナ判別動作が第１実施形態と異なる。
【００５９】
第２実施形態のデジタル放送受信装置の電源がオンになり、マイコン５が内蔵するチューナ駆動ソフトを実行すると図５に示すフローチャートが開始される。
【００６０】
まず、ステップＳ５００で、マイコン５はＥＥＰＲＯＭ６に記憶されたチューナ種別情報を参照する。チューナ種別情報はＡ社製チューナを表す場合、Ｂ社製チューナを表す場合、Ｃ社製チューナを表す場合、チューナ不確定を表す場合の４種類あり、製品工場出荷時にはチューナ不確定を表すチューナ種別情報がＥＥＰＲＯＭ６に記憶されている。ステップＳ５００でマイコン５がチューナ種別情報がチューナ不確定を表していることを確認した場合は（ステップＳ５００のＹ）、ステップＳ５０１に進む。
【００６１】
ステップＳ５０１で、マイコン５は変数Ｎを０とする。そして、ステップＳ５０２で、マイコン５は変数Ｎが３であるか否かを判定し、３でない場合は（ステップＳ５０２のＮ）、ステップＳ５０３に進む。
【００６２】
ステップＳ５０３で、マイコン５は、Ａ社製チューナに設定されるＲｅａｄ用スレーブアドレス（＝“Ｃ３ｈ”（図２（ｂ）））を指定してＲｅａｄデータの読み込みを実行する。
【００６３】
そして、ステップＳ５０４で、マイコン５が、ＭＯＰ  ＩＣ３からのＲｅａｄデータに含まれるＡＤＣビットが“１００”（Ａ社製チューナに対応（図２（ａ）））であることを確認した場合は（ステップＳ５０４のＹ）、チューナ２がＡ社製チューナである可能性が高いとして、図６のステップＳ６００に進む。
【００６４】
ステップＳ６００で、マイコン５は変数Ｍを０とする。そして、ステップＳ６０１で、マイコン５は変数Ｍが３であるか否かを判定し、３でなければ（ステップＳ６０１のＮ）、ステップＳ６０２に進む。
【００６５】
ステップＳ６０２で、マイコン５は、Ａ社製チューナに設定されるＷｒｉｔｅ用スレーブアドレス（＝“Ｃ２ｈ”（図２（ｂ）））を指定して、所定チャンネルに対応する周波数帯域および周波数が指定されたＡ社製チューナに用いられるＭＯＰ  ＩＣ３に対応するフォーマットの選局データを送信する。
【００６６】
それからステップＳ６０３で、マイコン５は２００ｍｓｅｃだけ待機し、その後、ステップＳ６０４で、マイコン５がＭＯＰ  ＩＣ３からＡｃｋｎｏｗｌｅｄｇｅが返ってきたことを確認した場合（ステップＳ６０４のＹ）、チューナ２はＡ社製チューナであるとして、ステップＳ６０５に進み、マイコン５はＡ社製チューナを表すチューナ種別情報をＥＥＰＲＯＭ６に記憶させる。そして、ステップＳ６０６で、マイコン５は、Ａ社製チューナに設定されるＷｒｉｔｅ用スレーブアドレス（＝“Ｃ２ｈ”（図２（ｂ）））を指定して、目標チャンネルに対応する周波数帯域および周波数が指定されたＡ社製チューナに用いられるＭＯＰ  ＩＣ３に対応するフォーマットの選局データを送信し、フローチャートの動作が終了する。
【００６７】
また、ステップＳ６０４で、マイコン５がＭＯＰ  ＩＣ３からＡｃｋｎｏｗｌｅｄｇｅが返ってきたことを確認できなかった場合（ステップＳ６０４のＮ）、ステップＳ６０７に進み、マイコン５は変数Ｍを１だけ増加させ、ステップＳ６０１に戻る。
【００６８】
ステップＳ６０１でマイコン５が変数Ｍは３であると判定した場合や（ステップＳ６０１のＹ）、ステップＳ５０４（図５）で、マイコン５が、ＭＯＰ  ＩＣ３からのＲｅａｄデータに含まれるＡＤＣビットが“１００”であることを確認できなかった場合は（ステップＳ５０４のＮ）、ステップＳ５０５に進む。
【００６９】
ステップＳ５０５で、マイコン５は、Ｂ社製チューナに設定されるＲｅａｄ用スレーブアドレス（＝“Ｃ７ｈ”（図２（ｂ）））を指定してＲｅａｄデータの読み込みを実行する。
【００７０】
そして、ステップＳ５０６で、マイコン５が、ＭＯＰ  ＩＣ３からのＲｅａｄデータに含まれるＡＤＣビットが“１１１”（Ｂ社製チューナに対応（図２（ａ）））であることを確認した場合は（ステップＳ５０６のＹ）、チューナ２がＢ社製チューナである可能性が高いとして、図６のステップＳ６０８に進む。
【００７１】
ステップＳ６０８で、マイコン５は変数Ｍを０とする。そして、ステップＳ６０９で、マイコン５は変数Ｍが３であるか否かを判定し、３でなければ（ステップＳ６０９のＮ）、ステップＳ６１０に進む。
【００７２】
ステップＳ６１０で、マイコン５は、Ｂ社製チューナに設定されるＷｒｉｔｅ用スレーブアドレス（＝“Ｃ６ｈ”（図２（ｂ）））を指定して、所定チャンネルに対応する周波数帯域および周波数が指定されたＢ社製チューナに用いられるＭＯＰ  ＩＣ３に対応するフォーマットの選局データを送信する。
【００７３】
それからステップＳ６１１で、マイコン５は２００ｍｓｅｃだけ待機し、その後、ステップＳ６１２で、マイコン５がＭＯＰ  ＩＣ３からＡｃｋｎｏｗｌｅｄｇｅが返ってきたことを確認した場合（ステップＳ６１２のＹ）、チューナ２はＢ社製チューナであるとして、ステップＳ６１３に進み、マイコン５はＢ社製チューナを表すチューナ種別情報をＥＥＰＲＯＭ６に記憶させる。そして、ステップＳ６１４で、マイコン５は、Ｂ社製チューナに設定されるＷｒｉｔｅ用スレーブアドレス（＝“Ｃ６ｈ”（図２（ｂ）））を指定して、目標チャンネルに対応する周波数帯域および周波数が指定されたＢ社製チューナに用いられるＭＯＰ  ＩＣ３に対応するフォーマットの選局データを送信し、フローチャートの動作が終了する。
【００７４】
また、ステップＳ６１２で、マイコン５がＭＯＰ  ＩＣ３からＡｃｋｎｏｗｌｅｄｇｅが返ってきたことを確認できなかった場合（ステップＳ６１２のＮ）、ステップＳ６１５に進み、マイコン５は変数Ｍを１だけ増加させ、ステップＳ６０９に戻る。
【００７５】
ステップＳ６０９でマイコン５が変数Ｍは３であると判定した場合や（ステップＳ６０９のＹ）、ステップＳ５０６（図５）で、マイコン５が、ＭＯＰ  ＩＣ３からのＲｅａｄデータに含まれるＡＤＣビットが“１１１”であることを確認できなかった場合は（ステップＳ５０６のＮ）、ステップＳ５０７に進む。
【００７６】
ステップＳ５０７で、マイコン５は、Ｃ社製チューナに設定されるＲｅａｄ用スレーブアドレス（＝“Ｃ１ｈ”（図２（ｂ）））を指定してＲｅａｄデータの読み込みを実行する。
【００７７】
そして、ステップＳ５０８で、マイコン５が、ＭＯＰ  ＩＣ３からのＲｅａｄデータに含まれるＡＤＣビットが“０００”（Ｃ社製チューナに対応（図２（ａ）））であることを確認した場合は（ステップＳ５０８のＹ）、チューナ２がＣ社製チューナである可能性が高いとして、図６のステップＳ６１６に進む。
【００７８】
ステップＳ６１６で、マイコン５は変数Ｍを０とする。そして、ステップＳ６１７で、マイコン５は変数Ｍが３であるか否かを判定し、３でなければ（ステップＳ６１７のＮ）、ステップＳ６１８に進む。
【００７９】
ステップＳ６１８で、マイコン５は、Ｃ社製チューナに設定されるＷｒｉｔｅ用スレーブアドレス（＝“Ｃ０ｈ”（図２（ｂ）））を指定して、所定チャンネルに対応する周波数帯域および周波数が指定されたＣ社製チューナに用いられるＭＯＰ  ＩＣ３に対応するフォーマットの選局データを送信する。
【００８０】
それからステップＳ６１９で、マイコン５は２００ｍｓｅｃだけ待機し、その後、ステップＳ６２０で、マイコン５がＭＯＰ  ＩＣ３からＡｃｋｎｏｗｌｅｄｇｅが返ってきたことを確認した場合（ステップＳ６２０のＹ）、チューナ２はＣ社製チューナであるとして、ステップＳ６２１に進み、マイコン５はＣ社製チューナを表すチューナ種別情報をＥＥＰＲＯＭ６に記憶させる。そして、ステップＳ６２２で、マイコン５は、Ｃ社製チューナに設定されるＷｒｉｔｅ用スレーブアドレス（＝“Ｃ０ｈ”（図２（ｂ）））を指定して、目標チャンネルに対応する周波数帯域および周波数が指定されたＣ社製チューナに用いられるＭＯＰ  ＩＣ３に対応するフォーマットの選局データを送信し、フローチャートの動作が終了する。
【００８１】
また、ステップＳ６２０で、マイコン５がＭＯＰ  ＩＣ３からＡｃｋｎｏｗｌｅｄｇｅが返ってきたことを確認できなかった場合（ステップＳ６２０のＮ）、ステップＳ６２３に進み、マイコン５は変数Ｍを１だけ増加させ、ステップＳ６１７に戻る。
【００８２】
ステップＳ６１７でマイコン５が変数Ｍは３であると判定した場合や（ステップＳ６１７のＹ）、ステップＳ５０８（図５）で、マイコン５が、ＭＯＰ  ＩＣ３からのＲｅａｄデータに含まれるＡＤＣビットが“０００”であることを確認できなかった場合は（ステップＳ５０８のＮ）、ステップＳ５０９に進む。ステップＳ５０９で、マイコン５は変数Ｎを１だけ増加させ、ステップＳ５０２に戻る。
【００８３】
ステップＳ５０２で、マイコン５が変数Ｎは３であると判定した場合（ステップＳ５０２のＹ）、ステップＳ５１１に進み、マイコン５はチューナ不確定を表すチューナ種別情報をＥＥＰＲＯＭ６に記憶させ、以降選局データは送信しない。
【００８４】
また、ステップＳ５１０で、マイコン５がチューナ種別情報がＡ社製チューナ、Ｂ社製チューナ、Ｃ社製チューナのいずれかを表していることを確認した場合は（ステップＳ５００のＮ）、ステップＳ５１０に進む。ステップＳ５１０で、マイコン５は、チューナ種別に応じたＷｒｉｔｅ用スレーブアドレスを指定して、目標チャンネルに対応する周波数帯域および周波数が指定されたチューナ種別に応じたフォーマットの選局データを送信し、フローチャートの動作が終了する。
【００８５】
このような第２実施形態によっても自動的にチューナ判別を行うことができ、前述した第１実施形態と同様の効果を得ることができる。
【００８６】
（第３実施形態）
次に、本発明の第３実施形態について図面を参照して説明する。第３実施形態のデジタル放送受信装置の構成は前述した第１実施形態と同様であり、チューナ判別動作が第１実施形態と異なる。
【００８７】
第３実施形態のデジタル放送受信装置の電源がオンになり、マイコン５が内蔵するチューナ駆動ソフトを実行すると図７に示すフローチャートが開始される。
【００８８】
まず、ステップＳ７００で、マイコン５はＥＥＰＲＯＭ６に記憶されたチューナ種別情報を参照する。チューナ種別情報はＡ社製チューナを表す場合、Ｂ社製チューナを表す場合、Ｃ社製チューナを表す場合、チューナ不確定を表す場合の４種類あり、製品工場出荷時にはチューナ不確定を表すチューナ種別情報がＥＥＰＲＯＭ６に記憶されている。ステップＳ７００でマイコン５がチューナ種別情報がチューナ不確定を表していることを確認した場合は（ステップＳ７００のＹ）、ステップＳ７０１に進む。
【００８９】
ステップＳ７０１で、マイコン５は変数Ｎを０とする。そして、ステップＳ７０２で、マイコン５は変数Ｎが３であるか否かを判定し、３でない場合は（ステップＳ７０２のＮ）、ステップＳ７０３に進む。
【００９０】
ステップＳ７０３で、マイコン５は、Ａ社製チューナに設定されるＲｅａｄ用スレーブアドレス（＝“Ｃ３ｈ”（図２（ｂ）））を指定してＲｅａｄデータの読み込みを実行する。
【００９１】
そして、マイコン５が、ＭＯＰ  ＩＣ３からのＲｅａｄデータに含まれるロックフラグが０であることを確認した場合は図８のステップＳ８００に進み、ＭＯＰ  ＩＣ３からのＲｅａｄデータに含まれるロックフラグが１であることを確認した場合はステップＳ７０９に進む。なお、ロックフラグについては第１実施形態において前述した通りである。
【００９２】
ステップＳ７０９で、マイコン５は、指定周波数帯域として例えばＶＨＦ−Ｌｏｗ（５５ＭＨｚ〜１７０ＭＨｚ）で、指定周波数として例えば９００ＭＨｚであるＡ社製チューナに用いられるＭＯＰ  ＩＣ３に対応するフォーマットの選局データを、Ａ社製チューナに設定されるＷｒｉｔｅ用スレーブアドレス（＝“Ｃ２ｈ”（図２（ｂ）））を指定して送信する。これにより、Ａ社製チューナに用いられるＭＯＰ  ＩＣ３が選局データを受信しても、ＶＨＦ−Ｌｏｗ局部発振器３ｄが出力するローカル信号の周波数が指定周波数である９００ＭＨｚよりも所定の中間周波数だけ高い周波数にロックされることは不可能であるため、前述したようにロックフラグを強制的に０に設定することができる。
【００９３】
ステップＳ７０９の後、マイコン５は２００ｍｓｅｃだけ待機し、ステップＳ７１０で、マイコン５は、Ａ社製チューナに設定されるＲｅａｄ用スレーブアドレス（＝“Ｃ３ｈ”（図２（ｂ）））を指定してＲｅａｄデータの読み込みを実行する。そして、ステップＳ７１１で、マイコン５が、ＭＯＰ  ＩＣ３からのＲｅａｄデータに含まれるロックフラグが０であることを確認した場合は（ステップＳ７１１のＹ）、図８のステップＳ８００に進み、ロックフラグが１であることを確認した場合は（ステップＳ７１１のＮ）、ステップＳ７０９に戻る。
【００９４】
図８のステップＳ８００で、マイコン５は、Ａ社製チューナに設定されるＷｒｉｔｅ用スレーブアドレス（＝“Ｃ２ｈ”（図２（ｂ）））を指定して、所定チャンネルに対応する周波数帯域および周波数が指定されたＡ社製チューナに用いられるＭＯＰ  ＩＣ３に対応するフォーマットの選局データを送信する。
【００９５】
それからステップＳ８０１で、マイコン５は２００ｍｓｅｃだけ待機し、その後、ステップＳ８０２で、マイコン５は、Ａ社製チューナに設定されるＲｅａｄ用スレーブアドレス（＝“Ｃ３ｈ”（図２（ｂ）））を指定してＲｅａｄデータの読み込みを実行する。
【００９６】
そして、ステップＳ８０３で、マイコン５が、ＭＯＰ  ＩＣ３からのＲｅａｄデータに含まれるロックフラグが１であることを確認した場合は（ステップＳ８０３のＮ）、チューナ２はＡ社製チューナであるとして、ステップＳ８０４でマイコン５はＡ社製チューナを表すチューナ種別情報をＥＥＰＲＯＭ６に記憶させる。そして、ステップＳ８０５で、マイコン５は、Ａ社製チューナに設定されるＷｒｉｔｅ用スレーブアドレス（＝“Ｃ２ｈ”（図２（ｂ）））を指定して、目標チャンネルに対応する周波数帯域および周波数が指定されたＡ社製チューナに用いられるＭＯＰ  ＩＣ３に対応するフォーマットの選局データを送信し、フローチャートの動作が終了する。
【００９７】
ステップＳ８０３で、マイコン５が、ＭＯＰ  ＩＣ３からのＲｅａｄデータに含まれるロックフラグが０であることを確認した場合や（ステップＳ８０３のＹ）、ステップＳ７０３（図７）でマイコン５がＲｅａｄデータの読み込みをできなかった場合は、ステップＳ７０４に進む。
【００９８】
ステップＳ７０４で、マイコン５は、Ｂ社製チューナに設定されるＲｅａｄ用スレーブアドレス（＝“Ｃ７ｈ”（図２（ｂ）））を指定してＲｅａｄデータの読み込みを実行する。
【００９９】
そして、マイコン５が、ＭＯＰ  ＩＣ３からのＲｅａｄデータに含まれるロックフラグが０であることを確認した場合は図８のステップＳ８０６に進み、ＭＯＰ  ＩＣ３からのＲｅａｄデータに含まれるロックフラグが１であることを確認した場合はステップＳ７１２に進む。
【０１００】
ステップＳ７１２で、マイコン５は、指定周波数帯域として例えばＶＨＦ−Ｌｏｗ（５５ＭＨｚ〜１７０ＭＨｚ）で、指定周波数として例えば９００ＭＨｚであるＢ社製チューナに用いられるＭＯＰ  ＩＣ３に対応するフォーマットの選局データを、Ｂ社製チューナに設定されるＷｒｉｔｅ用スレーブアドレス（＝“Ｃ６ｈ”（図２（ｂ）））を指定して送信する。これにより、Ｂ社製チューナに用いられるＭＯＰ  ＩＣ３が選局データを受信しても、ＶＨＦ−Ｌｏｗ局部発振器３ｄが出力するローカル信号の周波数が指定周波数である９００ＭＨｚよりも所定の中間周波数だけ高い周波数にロックされることは不可能であるため、前述したようにロックフラグを強制的に０に設定することができる。
【０１０１】
ステップＳ７１２の後、マイコン５は２００ｍｓｅｃだけ待機し、ステップＳ７１３でマイコン５は、Ｂ社製チューナに設定されるＲｅａｄ用スレーブアドレス（＝“Ｃ７ｈ”（図２（ｂ）））を指定してＲｅａｄデータの読み込みを実行する。そして、ステップＳ７１４で、マイコン５が、ＭＯＰ  ＩＣ３からのＲｅａｄデータに含まれるロックフラグが０であることを確認した場合は（ステップＳ７１４のＹ）、図８のステップＳ８０６に進み、ロックフラグが１であることを確認した場合は（ステップＳ７１４のＮ）、ステップＳ７１２に戻る。
【０１０２】
図８のステップＳ８０６で、マイコン５は、Ｂ社製チューナに設定されるＷｒｉｔｅ用スレーブアドレス（＝“Ｃ６ｈ”（図２（ｂ）））を指定して、所定チャンネルに対応する周波数帯域および周波数が指定されたＢ社製チューナに用いられるＭＯＰ  ＩＣ３に対応するフォーマットの選局データを送信する。
【０１０３】
それからステップＳ８０７で、マイコン５は２００ｍｓｅｃだけ待機し、その後、ステップＳ８０８で、マイコン５は、Ｂ社製チューナに設定されるＲｅａｄ用スレーブアドレス（＝“Ｃ７ｈ”（図２（ｂ）））を指定してＲｅａｄデータの読み込みを実行する。
【０１０４】
そして、ステップＳ８０９で、マイコン５が、ＭＯＰ  ＩＣ３からのＲｅａｄデータに含まれるロックフラグが１であることを確認した場合は（ステップＳ８０９のＮ）、チューナ２はＢ社製チューナであるとして、ステップＳ８１０でマイコン５はＢ社製チューナを表すチューナ種別情報をＥＥＰＲＯＭ６に記憶させる。そして、ステップＳ８１１で、マイコン５は、Ｂ社製チューナに設定されるＷｒｉｔｅ用スレーブアドレス（＝“Ｃ６ｈ”（図２（ｂ）））を指定して、目標チャンネルに対応する周波数帯域および周波数が指定されたＢ社製チューナに用いられるＭＯＰ  ＩＣ３に対応するフォーマットの選局データを送信し、フローチャートの動作が終了する。
【０１０５】
ステップＳ８０９で、マイコン５が、ＭＯＰ  ＩＣ３からのＲｅａｄデータに含まれるロックフラグが０であることを確認した場合や（ステップＳ８０９のＹ）、ステップＳ７０４（図７）でマイコン５がＲｅａｄデータの読み込みをできなかった場合は、ステップＳ７０５に進む。
【０１０６】
ステップＳ７０５で、マイコン５は、Ｃ社製チューナに設定されるＲｅａｄ用スレーブアドレス（＝“Ｃ１ｈ”（図２（ｂ）））を指定してＲｅａｄデータの読み込みを実行する。
【０１０７】
そして、マイコン５が、ＭＯＰ  ＩＣ３からのＲｅａｄデータに含まれるロックフラグが０であることを確認した場合は図８のステップＳ８１２に進み、ＭＯＰ  ＩＣ３からのＲｅａｄデータに含まれるロックフラグが１であることを確認した場合はステップＳ７１５に進む。
【０１０８】
ステップＳ７１５で、マイコン５は、指定周波数帯域として例えばＶＨＦ−Ｌｏｗ（５５ＭＨｚ〜１７０ＭＨｚ）で、指定周波数として例えば９００ＭＨｚであるＣ社製チューナに用いられるＭＯＰ  ＩＣ３に対応するフォーマットの選局データを、Ｃ社製チューナに設定されるＷｒｉｔｅ用スレーブアドレス（＝“Ｃ０ｈ”（図２（ｂ）））を指定して送信する。これにより、Ｃ社製チューナに用いられるＭＯＰ  ＩＣ３が選局データを受信しても、ＶＨＦ−Ｌｏｗ局部発振器３ｄが出力するローカル信号の周波数が指定周波数である９００ＭＨｚよりも所定の中間周波数だけ高い周波数にロックされることは不可能であるため、前述したようにロックフラグを強制的に０に設定することができる。
【０１０９】
ステップＳ７１５の後、マイコン５は２００ｍｓｅｃだけ待機し、ステップＳ７１６で、マイコン５は、Ｃ社製チューナに設定されるＲｅａｄ用スレーブアドレス（＝“Ｃ１ｈ”（図２（ｂ）））を指定してＲｅａｄデータの読み込みを実行する。そして、ステップＳ７１７で、マイコン５が、ＭＯＰ  ＩＣ３からのＲｅａｄデータに含まれるロックフラグが０であることを確認した場合は（ステップＳ７１７のＹ）、図８のステップＳ８１２に進み、ロックフラグが１であることを確認した場合は（ステップＳ７１７のＮ）、ステップＳ７１５に戻る。
【０１１０】
図８のステップＳ８１２で、マイコン５は、Ｃ社製チューナに設定されるＷｒｉｔｅ用スレーブアドレス（＝“Ｃ０ｈ”（図２（ｂ）））を指定して、所定チャンネルに対応する周波数帯域および周波数が指定されたＣ社製チューナに用いられるＭＯＰ  ＩＣ３に対応するフォーマットの選局データを送信する。
【０１１１】
それからステップＳ８１３で、マイコン５は２００ｍｓｅｃだけ待機し、その後、ステップＳ８１４で、マイコン５は、Ｃ社製チューナに設定されるＲｅａｄ用スレーブアドレス（＝“Ｃ１ｈ”（図２（ｂ）））を指定してＲｅａｄデータの読み込みを実行する。
【０１１２】
そして、ステップＳ８１５で、マイコン５が、ＭＯＰ  ＩＣ３からのＲｅａｄデータに含まれるロックフラグが１であることを確認した場合は（ステップＳ８１５のＮ）、チューナ２はＣ社製チューナであるとして、ステップＳ８１６でマイコン５はＣ社製チューナを表すチューナ種別情報をＥＥＰＲＯＭ６に記憶させる。そして、ステップＳ８１７で、マイコン５は、Ｃ社製チューナに設定されるＷｒｉｔｅ用スレーブアドレス（＝“Ｃ０ｈ”（図２（ｂ）））を指定して、目標チャンネルに対応する周波数帯域および周波数が指定されたＣ社製チューナに用いられるＭＯＰ  ＩＣ３に対応するフォーマットの選局データを送信し、フローチャートの動作が終了する。
【０１１３】
ステップＳ８１５で、マイコン５が、ＭＯＰ  ＩＣ３からのＲｅａｄデータに含まれるロックフラグが０であることを確認した場合や（ステップＳ８１５のＹ）、ステップＳ７０５（図７）でマイコン５がＲｅａｄデータの読み込みをできなかった場合は、ステップＳ７０６に進む。ステップＳ７０６で、マイコン５は変数Ｎを１だけ増加させ、ステップＳ７０２に戻る。
【０１１４】
ステップＳ７０２で、マイコン５が変数Ｎは３であると判定した場合（ステップＳ７０２のＹ）、ステップＳ７０８に進み、マイコン５はチューナ不確定を表すチューナ種別情報をＥＥＰＲＯＭ６に記憶させ、以降選局データは送信しない。
【０１１５】
また、ステップＳ７００で、マイコン５がチューナ種別情報がＡ社製チューナ、Ｂ社製チューナ、Ｃ社製チューナのいずれかを表していることを確認した場合は（ステップＳ７００のＮ）、ステップＳ７０７に進む。ステップＳ７０７で、マイコン５は、チューナ種別に応じたＷｒｉｔｅ用スレーブアドレスを指定して、目標チャンネルに対応する周波数帯域および周波数が指定されたチューナ種別に応じたフォーマットの選局データを送信し、フローチャートの動作が終了する。
【０１１６】
このような第３実施形態によっても自動的にチューナ判別を行うことができ、前述した第１実施形態と同様の効果を得ることができる。
【０１１７】
（第４実施形態）
次に、本発明の第４実施形態について図面を参照して説明する。第４実施形態のデジタル放送受信装置の前述した第１実施形態との構成上の違いは、ＡＳ端子３ｉに与えられる電位がチューナメーカに関わらず共通であるということである。以下、例えば、共通に与える電位としてＯｐｅｎとし、Ｗｒｉｔｅ用スレーブアドレスが“Ｃ２ｈ”に、Ｒｅａｄ用スレーブアドレスが“Ｃ３ｈ”に設定されているとして説明する。
【０１１８】
第４実施形態のデジタル放送受信装置の電源がオンになり、マイコン５が内蔵するチューナ駆動ソフトを実行すると図９に示すフローチャートが開始される。
【０１１９】
まず、ステップＳ９００で、マイコン５はＥＥＰＲＯＭ６に記憶されたチューナ種別情報を参照する。チューナ種別情報はＡ社製チューナを表す場合、Ｂ社製チューナを表す場合、Ｃ社製チューナを表す場合、チューナ不確定を表す場合の４種類あり、製品工場出荷時にはチューナ不確定を表すチューナ種別情報がＥＥＰＲＯＭ６に記憶されている。ステップＳ９００でマイコン５がチューナ種別情報がチューナ不確定を表していることを確認した場合は（ステップＳ９００のＹ）、ステップＳ９０１に進む。
【０１２０】
ステップＳ９０１で、マイコン５は変数Ｎを０とする。そして、ステップＳ９０２で、マイコン５は変数Ｎが３であるか否かを判定し、３でない場合は（ステップＳ９０２のＮ）、ステップＳ９０３に進む。
【０１２１】
ステップＳ９０３で、マイコン５は、Ｒｅａｄ用スレーブアドレス“Ｃ３ｈ”を指定してＲｅａｄデータの読み込みを実行する。
【０１２２】
そして、マイコン５が、ＭＯＰ  ＩＣ３からのＲｅａｄデータに含まれるＡＤＣビットが“１００”（Ａ社製チューナに対応（図２（ａ）））であることを確認した場合は、ステップＳ９０７に進み、チューナ２がＡ社製であるとして、マイコン５はＡ社製チューナを表すチューナ種別情報をＥＥＰＲＯＭ６に記憶させる。そして、ステップＳ９１０で、マイコン５は、Ｗｒｉｔｅ用スレーブアドレス“Ｃ２ｈ”を指定して、目標チャンネルに対応する周波数帯域および周波数が指定されたＡ社製チューナに用いられるＭＯＰ  ＩＣ３に対応するフォーマットの選局データを送信し、フローチャートの動作が終了する。
【０１２３】
また、ステップＳ９０３でマイコン５がＲｅａｄデータの読み込みを実行し、マイコン５が、ＭＯＰ  ＩＣ３からのＲｅａｄデータに含まれるＡＤＣビットが“１１１”（Ｂ社製チューナに対応（図２（ａ）））であることを確認した場合は、ステップＳ９０８に進み、チューナ２がＢ社製であるとして、マイコン５はＢ社製チューナを表すチューナ種別情報をＥＥＰＲＯＭ６に記憶させる。そして、ステップＳ９１０で、マイコン５は、Ｗｒｉｔｅ用スレーブアドレス“Ｃ２ｈ”を指定して、目標チャンネルに対応する周波数帯域および周波数が指定されたＢ社製チューナに用いられるＭＯＰ  ＩＣ３に対応するフォーマットの選局データを送信し、フローチャートの動作が終了する。
【０１２４】
また、ステップＳ９０３でマイコン５がＲｅａｄデータの読み込みを実行し、マイコン５が、ＭＯＰ  ＩＣ３からのＲｅａｄデータに含まれるＡＤＣビットが“０００”（Ｃ社製チューナに対応（図２（ａ）））であることを確認した場合は、ステップＳ９０９に進み、チューナ２がＣ社製であるとして、マイコン５はＣ社製チューナを表すチューナ種別情報をＥＥＰＲＯＭ６に記憶させる。そして、ステップＳ９１０で、マイコン５は、Ｗｒｉｔｅ用スレーブアドレス“Ｃ２ｈ”を指定して、目標チャンネルに対応する周波数帯域および周波数が指定されたＣ社製チューナに用いられるＭＯＰ  ＩＣ３に対応するフォーマットの選局データを送信し、フローチャートの動作が終了する。
【０１２５】
また、ステップＳ９０３でマイコン５がＲｅａｄデータの読み込みを実行し、マイコン５が、ＭＯＰ  ＩＣ３からのＲｅａｄデータに含まれるＡＤＣビットが“１００”“１１１”“０００”以外であることを確認した場合は、ステップＳ９０４に進み、マイコン５は変数Ｎを１だけ増加させ、ステップＳ９０２に戻る。
【０１２６】
ステップＳ９０２で、マイコン５が変数Ｎは３であると判定した場合（ステップＳ９０２のＹ）、ステップＳ９０６に進み、マイコン５はチューナ不確定を表すチューナ種別情報をＥＥＰＲＯＭ６に記憶させ、以降選局データは送信しない。
【０１２７】
また、ステップＳ９００で、マイコン５がチューナ種別情報がＡ社製チューナ、Ｂ社製チューナ、Ｃ社製チューナのいずれかを表していることを確認した場合は（ステップＳ９００のＮ）、ステップＳ９０５で、マイコン５は、Ｗｒｉｔｅ用スレーブアドレス“Ｃ２ｈ”を指定して、目標チャンネルに対応する周波数帯域および周波数が指定されたチューナ種別に応じたフォーマットの選局データを送信し、フローチャートの動作が終了する。
【０１２８】
このような第４実施形態によっても自動的にチューナ判別を行うことができ、前述した第１実施形態と同様の効果を得ることができる。
【０１２９】
（第５実施形態）
次に、本発明の第５実施形態について図面を参照して説明する。第５実施形態のデジタル放送受信装置の前述した第１実施形態との構成上の違いは、ＡＳ端子３ｉに与えられる電位がチューナメーカに関わらず共通であるということである。以下、例えば、共通に与える電位としてＯｐｅｎとし、Ｗｒｉｔｅ用スレーブアドレスが“Ｃ２ｈ”に、Ｒｅａｄ用スレーブアドレスが“Ｃ３ｈ”に設定されているとして説明する。
【０１３０】
第５実施形態のデジタル放送受信装置の電源がオンになり、マイコン５が内蔵するチューナ駆動ソフトを実行すると図１０に示すフローチャートが開始される。
【０１３１】
まず、ステップＳ１０００で、マイコン５はＥＥＰＲＯＭ６に記憶されたチューナ種別情報を参照する。チューナ種別情報はＡ社製チューナを表す場合、Ｂ社製チューナを表す場合、Ｃ社製チューナを表す場合、チューナ不確定を表す場合の４種類あり、製品工場出荷時にはチューナ不確定を表すチューナ種別情報がＥＥＰＲＯＭ６に記憶されている。ステップＳ１０００でマイコン５がチューナ種別情報がチューナ不確定を表していることを確認した場合は（ステップＳ１０００のＹ）、ステップＳ１００１に進む。
【０１３２】
ステップＳ１００１で、マイコン５は変数Ｎを０とする。そして、ステップＳ１００２で、マイコン５は変数Ｎが３であるか否かを判定し、３でない場合は（ステップＳ１００２のＮ）、ステップＳ１００３に進む。
【０１３３】
ステップＳ１００３で、マイコン５は、Ｒｅａｄ用スレーブアドレス“Ｃ３ｈ”を指定してＲｅａｄデータの読み込みを実行する。
【０１３４】
そして、マイコン５が、ＭＯＰ  ＩＣ３からのＲｅａｄデータに含まれるＡＤＣビットが“１００”（Ａ社製チューナに対応（図２（ａ）））であることを確認した場合は、図１１のステップＳ１１００に進む。
【０１３５】
ステップＳ１１００で、マイコン５は変数Ｍを０とする。そして、ステップＳ１１０１で、マイコン５は変数Ｍが３であるか否かを判定し、３でなければ（ステップＳ１１０１のＮ）、ステップＳ１１０２に進む。
【０１３６】
ステップＳ１１０２で、マイコン５は、Ｗｒｉｔｅ用スレーブアドレス “Ｃ２ｈ”を指定して、所定チャンネルに対応する周波数帯域および周波数が指定されたＡ社製チューナに用いられるＭＯＰ  ＩＣ３に対応するフォーマットの選局データを送信する。
【０１３７】
それからステップＳ１１０３で、マイコン５は２００ｍｓｅｃだけ待機し、その後、ステップＳ１１０４で、マイコン５がＭＯＰ  ＩＣ３からＡｃｋｎｏｗｌｅｄｇｅが返ってきたことを確認した場合（ステップＳ１１０４のＹ）、チューナ２はＡ社製チューナであるとして、ステップＳ１１０５に進み、マイコン５はＡ社製チューナを表すチューナ種別情報をＥＥＰＲＯＭ６に記憶させる。そして、ステップＳ１１０６で、マイコン５は、Ｗｒｉｔｅ用スレーブアドレス“Ｃ２ｈ”を指定して、目標チャンネルに対応する周波数帯域および周波数が指定されたＡ社製チューナに用いられるＭＯＰ  ＩＣ３に対応するフォーマットの選局データを送信し、フローチャートの動作が終了する。
【０１３８】
また、ステップＳ１１０４で、マイコン５がＭＯＰ  ＩＣ３からＡｃｋｎｏｗｌｅｄｇｅが返ってきたことを確認できなかった場合（ステップＳ１１０４のＮ）、ステップＳ１１０７に進み、マイコン５は変数Ｍを１だけ増加させ、ステップＳ１１０１に戻る。
【０１３９】
ステップＳ１１０１でマイコン５が変数Ｍは３であると判定した場合は（ステップＳ１１０１のＹ）、ステップＳ１００４に進む。
【０１４０】
また、ステップＳ１００３でマイコン５がＲｅａｄデータの読み込みを実行し、マイコン５が、ＭＯＰ  ＩＣ３からのＲｅａｄデータに含まれるＡＤＣビットが“１１１”（Ａ社製チューナに対応（図２（ａ）））であることを確認した場合は、図１１のステップＳ１１０８に進む。
【０１４１】
ステップＳ１１０８で、マイコン５は変数Ｍを０とする。そして、ステップＳ１１０９で、マイコン５は変数Ｍが３であるか否かを判定し、３でなければ（ステップＳ１１０９のＮ）、ステップＳ１１１０に進む。
【０１４２】
ステップＳ１１１０で、マイコン５は、Ｗｒｉｔｅ用スレーブアドレス “Ｃ２ｈ”を指定して、所定チャンネルに対応する周波数帯域および周波数が指定されたＢ社製チューナに用いられるＭＯＰ  ＩＣ３に対応するフォーマットの選局データを送信する。
【０１４３】
それからステップＳ１１１１で、マイコン５は２００ｍｓｅｃだけ待機し、その後、ステップＳ１１１２で、マイコン５がＭＯＰ  ＩＣ３からＡｃｋｎｏｗｌｅｄｇｅが返ってきたことを確認した場合（ステップＳ１１１２のＹ）、チューナ２はＢ社製チューナであるとして、ステップＳ１１１３に進み、マイコン５はＢ社製チューナを表すチューナ種別情報をＥＥＰＲＯＭ６に記憶させる。そして、ステップＳ１１１４で、マイコン５は、Ｗｒｉｔｅ用スレーブアドレス“Ｃ２ｈ”を指定して、目標チャンネルに対応する周波数帯域および周波数が指定されたＢ社製チューナに用いられるＭＯＰ  ＩＣ３に対応するフォーマットの選局データを送信し、フローチャートの動作が終了する。
【０１４４】
また、ステップＳ１１１２で、マイコン５がＭＯＰ  ＩＣ３からＡｃｋｎｏｗｌｅｄｇｅが返ってきたことを確認できなかった場合（ステップＳ１１１２のＮ）、ステップＳ１１１５に進み、マイコン５は変数Ｍを１だけ増加させ、ステップＳ１１０９に戻る。
【０１４５】
ステップＳ１１０９でマイコン５が変数Ｍは３であると判定した場合は（ステップＳ１１０９のＹ）、ステップＳ１００４に進む。
【０１４６】
また、ステップＳ１００３でマイコン５がＲｅａｄデータの読み込みを実行し、マイコン５が、ＭＯＰ  ＩＣ３からのＲｅａｄデータに含まれるＡＤＣビットが“０００”（Ｃ社製チューナに対応（図２（ａ）））であることを確認した場合は、図１１のステップＳ１１１６に進む。
【０１４７】
ステップＳ１１１６で、マイコン５は変数Ｍを０とする。そして、ステップＳ１１１７で、マイコン５は変数Ｍが３であるか否かを判定し、３でなければ（ステップＳ１１１７のＮ）、ステップＳ１１１８に進む。
【０１４８】
ステップＳ１１１８で、マイコン５は、Ｗｒｉｔｅ用スレーブアドレス “Ｃ２ｈ”を指定して、所定チャンネルに対応する周波数帯域および周波数が指定されたＣ社製チューナに用いられるＭＯＰ  ＩＣ３に対応するフォーマットの選局データを送信する。
【０１４９】
それからステップＳ１１１９で、マイコン５は２００ｍｓｅｃだけ待機し、その後、ステップＳ１１２０で、マイコン５がＭＯＰ  ＩＣ３からＡｃｋｎｏｗｌｅｄｇｅが返ってきたことを確認した場合（ステップＳ１１２０のＹ）、チューナ２はＣ社製チューナであるとして、ステップＳ１１２１に進み、マイコン５はＣ社製チューナを表すチューナ種別情報をＥＥＰＲＯＭ６に記憶させる。そして、ステップＳ１１２２で、マイコン５は、Ｗｒｉｔｅ用スレーブアドレス“Ｃ２ｈ”を指定して、目標チャンネルに対応する周波数帯域および周波数が指定されたＣ社製チューナに用いられるＭＯＰ  ＩＣ３に対応するフォーマットの選局データを送信し、フローチャートの動作が終了する。
【０１５０】
また、ステップＳ１１２０で、マイコン５がＭＯＰ  ＩＣ３からＡｃｋｎｏｗｌｅｄｇｅが返ってきたことを確認できなかった場合（ステップＳ１１２０のＮ）、ステップＳ１１２３に進み、マイコン５は変数Ｍを１だけ増加させ、ステップＳ１１１７に戻る。
【０１５１】
ステップＳ１１１７でマイコン５が変数Ｍは３であると判定した場合は（ステップＳ１１１７のＹ）、ステップＳ１００４に進む。
【０１５２】
また、ステップＳ１００３でマイコン５がＲｅａｄデータの読み込みを実行し、マイコン５が、ＭＯＰ  ＩＣ３からのＲｅａｄデータに含まれるＡＤＣビットが“１００”“１１１”“０００”以外であることを確認した場合は、ステップＳ１００４に進む。
【０１５３】
ステップＳ１００４では、マイコン５は変数Ｎを１だけ増加させ、ステップＳ１００２に戻る。
【０１５４】
ステップＳ１００２で、マイコン５が変数Ｎは３であると判定した場合（ステップＳ１００２のＹ）、ステップＳ１００５に進み、マイコン５はチューナ不確定を表すチューナ種別情報をＥＥＰＲＯＭ６に記憶させ、以降選局データは送信しない。
【０１５５】
また、ステップＳ１０００で、マイコン５がチューナ種別情報がＡ社製チューナ、Ｂ社製チューナ、Ｃ社製チューナのいずれかを表していることを確認した場合は（ステップＳ１０００のＮ）、ステップＳ１００６で、マイコン５は、Ｗｒｉｔｅ用スレーブアドレス“Ｃ２ｈ”を指定して、目標チャンネルに対応する周波数帯域および周波数が指定されたチューナ種別に応じたフォーマットの選局データを送信し、フローチャートの動作が終了する。
【０１５６】
このような第５実施形態によっても自動的にチューナ判別を行うことができ、前述した第１実施形態と同様の効果を得ることができる。
【図面の簡単な説明】
【０１５７】
【図１】は、本発明に係るデジタル放送受信装置の概略構成図である。
【図２】は、（ａ）各社製チューナについてのＡＤＣ端子に与えられる電位および設定されるＡＤＣビット、（ｂ）各社製チューナについてのＡＳ端子に与えられる電位、設定されるＷｒｉｔｅ用スレーブアドレスおよびＲｅａｄ用スレーブアドレスを示す。
【図３】は、本発明の第１実施形態におけるチューナ判別動作に関するフローチャートである。
【図４】は、本発明の第１実施形態におけるチューナ判別動作に関するフローチャートである。
【図５】は、本発明の第２実施形態におけるチューナ判別動作に関するフローチャートである。
【図６】は、本発明の第２実施形態におけるチューナ判別動作に関するフローチャートである。
【図７】は、本発明の第３実施形態におけるチューナ判別動作に関するフローチャートである。
【図８】は、本発明の第３実施形態におけるチューナ判別動作に関するフローチャートである。
【図９】は、本発明の第４実施形態におけるチューナ判別動作に関するフローチャートである。
【図１０】は、本発明の第５実施形態におけるチューナ判別動作に関するフローチャートである。
【図１１】は、本発明の第５実施形態におけるチューナ判別動作に関するフローチャートである。
【符号の説明】
【０１５８】
１    アンテナ
２    チューナ
３    ＭＯＰ  ＩＣ
３ａ    ＶＨＦ−Ｌｏｗミキサ
３ｂ    ＶＨＦ−Ｈｉｇｈミキサ
３ｃ    ＵＨＦミキサ
３ｄ    ＶＨＦ−Ｌｏｗ局部発振器
３ｅ    ＶＨＦ−Ｈｉｇｈ局部発振器
３ｆ    ＵＨＦ局部発振器
３ｇ    中間周波増幅器
３ｈ    ＡＤＣ端子
３ｉ    ＡＳ端子
４    Ｉ２Ｃ  Ｂｕｓ
５    マイコン
６    ＥＥＰＲＯＭ
【図１】
2008199481.tif 000003
【図２】
2008199481.tif 000004
【図３】
2008199481.tif 000005
【図４】
2008199481.tif 000006
【図５】
2008199481.tif 000007
【図６】
2008199481.tif 000008
【図７】
2008199481.tif 000009
【図８】
2008199481.tif 000010
【図９】
2008199481.tif 000011
【図１０】
2008199481.tif 000012
【図１１】
2008199481.tif 000013